(57)【特許請求の範囲】
【請求項１】
曲げ用パンチ金型と、ダイ孔を有した曲げ用ダイ金型を備え、曲げ用パンチ金型をプレス方向，この反対方向へ曲げ用ダイ金型に対して相対的に移動可能に構成してなる曲げ金型セットにおいて、
上記曲げ用パンチ金型にパンチ挟持部を備え、上記曲げ用ダイ金型におけるダイ孔の一側にパンチ挟持部と協働して板材を挟持するダイ挟持部を備え、ダイ孔に板材における曲げ片部分を曲げる曲げチップを移動可能に設け、曲げチップを曲げ用ダイ金型の表面に対して突出させて曲げ用パンチ金型に接近させると、上記プレス方向の反対方向から、この反対方向に対して交差する方向であってパンチ挟持部側へ傾いた傾斜方向へ、曲げチップの移動方向が変化するように、ダイ孔の内側面或いは曲げチップの側面に曲げチップの移動方向に対応した形状のガイド溝を形成すると共に、曲げチップの側面或いはダイ孔の内側面にこのガイド溝に係合しかつガイド溝に沿って相対的に移動可能な可動子を設け、前記曲げ用ダイ金型における前記ダイ孔に前記曲げチップを支持するチップ受けをプレス方向，この反対方向へ移動可能に設け、曲げチップが前記傾斜方向へ移動して板材における曲げ片部分を曲げるときに、曲げチップに作用する反力を十分に受けることができるようにチップ受けの支持面を前記傾斜方向に対応して傾斜して構成してなることを特徴とする曲げ用金型セット。
【請求項２】
請求項１に記載の曲げ用金型セットを備えたパンチプレスにおいて、
前記プレス方向は真下方向であって、前記反対方向は真上方向であり、前記曲げ用パンチ金型を真上方向，真下方向へ移動可能に保持する上部金型保持ベースを設け、曲げ用パンチ金型と協働して曲げ加工を行う前記曲げ用ダイ金型を保持する下部金型保持ベースを上部金型保持ベースに上下に対向して設け、上部金型保持ベースの上方に曲げ用パンチ金型を上方向から押圧するストライカを設け、下部金型保持ベースの下方に曲げチップを押上げる押上げ作動装置を設けてなることを特徴とするパンチプレス。
【請求項３】
前記上部金型保持ベースは回転可能な上部タレットであって、前記下部金型保持ベースは回転可能な下部タレットであり、上部タレットに適数の曲げ用パンチ金型の他に複数の打抜き用パンチ金型を保持し、下部タレットに適数の曲げ用ダイ金型の他に複数の打抜き用ダイ金型を保持し、上部タレット及び下部タレットを回転させることにより所定のパンチ金型及び所定のダイ金型を加工領域に割出しできるように構成し、前記ストライカは加工領域に割出した所定の上部パンチ金型を上方向から押圧するように構成し、下部タレットの下側にタレット支持部材を水平方向へ移動可能に設け、このタレット支持部材は、曲げ用ダイ金型を加工領域に割出したときに下部タレットにおける加工領域に位置している部分を支持する第１支持部と、打抜き用ダイ金型を加工領域に割出したときに下部タレットにおける加工領域に位置している部分を支持する第２支持部とを備え、上記タレット支持部材の水平方向の移動により第１支持部又は第２支持部を下部タレットにおける加工領域に位置している部分の下側に位置決めできるように構成し、上記第１支持部に前記押上げ装置を設けると共に、上記第２支持部に打抜き加工によって生じる抜きカスを収容する収容室を設けてなることを特徴とする請求項２に記載のパンチプレス。
【発明の詳細な説明】
【０００１】
【発明の属する技術分野】
本発明は、板材に対して曲げ加工を行う曲げ用金型セット、及びこの曲げ用金型セットを備えたパンチプレスに関する。
【０００２】
【従来の技術】
従来の曲げ用金型セットについて簡単に説明すると以下のようになる。
【０００３】
即ち、上記曲げ用金型セットは、曲げ用パンチ金型と、ダイ孔を有した曲げ用ダイ金型を上下に対向して備えており、曲げ用パンチ金型はプレス方向（真下方向），この反対方向（真上方向）へ移動可能に構成してある。上記曲げ用パンチ金型にはパンチ挟持部が備えてあり、上記曲げ用ダイ金型におけるダイ孔の一側にはパンチ挟持部と協働して板材を挟持するダイ挟持部が備えてある。そして、ダイ孔には板材における曲げ片部分（曲げ加工によって曲げ片になる部分）を曲げる曲げチップが真上方向，真下方向へ移動可能に設けてある。
【０００４】
従って、曲げ用パンチ金型と曲げ用ダイ金型の間に板材を位置決めした後に、曲げ用パンチ金型を真下方向へ移動させることにより、パンチ挟持部とダイ挟持部の協働により板材を挟持する。そして、曲げチップを真上方向へ押上げることにより、曲げチップにより板材における曲げ片部分を元の状態から９０度折り曲げることができる。
【０００５】
【発明が解決しようとする課題】
しかし、曲げチップを真上方向へ押上げることにより、図５（ａ）に示すように、板材Ｗにおける曲げ片部分Ｗａを元の状態から９０度曲げることができるが、曲げ片のＷａスプリングバックによる戻り角α度によって、板材Ｗにおける被挟持部分Ｗｂ（パンチ挟持部とダイ挟持部により挟持される部分）と曲げ片のなす角が９０度よりもα度だけ大きくなって、９０度に設定することが困難であるという問題がある。
【０００６】
又、図５（ｂ）に示すように、板材Ｗにおける曲げ片部分Ｗａを元の状態から９０度を越えて大きく曲げて、板材における被挟持部分Ｗｂと曲げ片Ｗａのなす角を９０度よりも小さい所定の角度に設定することができないという問題がある。
【０００７】
そこで、本発明は、板材における被挟持部分と曲げ片のなす角を９０度に設定したり、９０度よりも小さい種々の所定の角度に設定することのできる曲げ用金型セット、及びこの曲げ用金型セットを備えたパンチプレスを提供することを目的とする。
【０００８】
【課題を解決するための手段】
請求項１に記載の発明にあっては、曲げ用パンチ金型と、ダイ孔を有した曲げ用ダイ金型を備え、曲げ用パンチ金型をプレス方向，この反対方向へ曲げ用ダイ金型に対して相対的に移動可能に構成してなる曲げ金型セットにおいて、
上記曲げ用パンチ金型にパンチ挟持部を備え、上記曲げ用ダイ金型におけるダイ孔の一側にパンチ挟持部と協働して板材を挟持するダイ挟持部を備え、ダイ孔に板材における曲げ片部分を曲げる曲げチップを移動可能に設け、曲げチップを曲げ用ダイ金型の表面に対して突出させて曲げ用パンチ金型に接近させると、上記プレス方向の反対方向から、この反対方向に対して交差する方向であってパンチ挟持部側へ傾いた傾斜方向へ、曲げチップの移動方向が変化するように、ダイ孔の内側面或いは曲げチップの側面に曲げチップの移動方向に対応した形状のガイド溝を形成すると共に、曲げチップの側面或いはダイ孔の内側面にこのガイド溝に係合しかつガイド溝に沿って相対的に移動可能な可動子を設け、前記曲げ用ダイ金型における前記ダイ孔に前記曲げチップを支持するチップ受けをプレス方向，この反対方向へ移動可能に設け、曲げチップが前記傾斜方向へ移動して板材における曲げ片部分を曲げるときに、曲げチップに作用する反力を十分に受けることができるようにチップ受けの支持面を前記傾斜方向に対応して傾斜して構成してなることを特徴とする。
【０００９】
請求項１に記載の発明特定事項によると、曲げ用パンチ金型と曲げ用ダイ金型の間に板材を相対的に位置決めした後に、曲げ用パンチ金型をプレス方向へ曲げ用ダイ金型に対して相対的に移動させることにより、パンチ挟持部とダイ挟持部の協働により板材を挟持する。そして、曲げチップを曲げ用ダイ金型の表面に対して突出させて曲げ用パンチ金型に接近せしめることにより、曲げチップにより板材における曲げ片部分（曲げ加工によって曲げ片になる部分）を曲げることができる。ここで、可動子がガイド溝に沿って相対的に移動することにより、曲げチップの移動方向が前記反対方向から傾斜方向へ変化し、板材の曲げ片部分を元の状態から９０度を越えて曲げることができる。また、曲げチップが傾斜方向へ移動して板材における曲げ片部分を曲げる時に、曲げチップに大きな反力が作用しても、チップ受けにより十分にこの反力を受けることができ、曲げチップがこの反力の作用する側へ傾いたりすることがない。
【００１０】
請求項２に記載の発明にあっては、請求項１に記載の曲げ用金型セットを備えたパンチプレスにおいて、
前記プレス方向は真下方向であって、前記反対方向は真上方向であり、前記曲げ用パンチ金型を真上方向，真下方向へ移動可能に保持する上部金型保持ベースを設け、曲げ用パンチ金型と協働して曲げ加工を行う前記曲げ用ダイ金型を保持する下部金型保持ベースを上部金型保持ベースに上下に対向して設け、上部金型保持ベースの上方に曲げ用パンチ金型を上方向から押圧するストライカを設け、下部金型保持ベースの下方に曲げチップを押上げる押上げ作動装置を設けてなることを特徴とする。
【００１１】
請求項２に記載の発明特定事項によると、上部金型保持ベースと下部金型保持ベースの間に板材を相対的に位置決めした後に、ストライカにより曲げ用パンチ金型を上方向から押圧することにより、曲げ用パンチ金型を真下方向へ移動させて、パンチ挟持部とダイ挟持部の協働により板材を挟持する。そして、押上げ作動装置により曲げチップを押上げて、曲げ用ダイ金型の表面に対して上方向へ突出させて曲げ用パンチ金型に接近せしめることにより、曲げチップにより板材における曲げ片部分を折り曲げることができる。
【００１２】
尚、請求項２に記載の発明特定事項によると、請求項１に記載の発明特定事項による作用と同様の作用を奏する。
【００１３】
請求項３に記載の発明にあっては、請求項２に記載の発明特定事項の他に、前記上部金型保持ベースは回転可能な上部タレットであって、前記下部金型保持ベースは回転可能な下部タレットであり、上部タレットに適数の曲げ用パンチ金型の他に複数の打抜き用パンチ金型を保持し、下部タレットに適数の曲げ用ダイ金型の他に複数の打抜き用ダイ金型を保持し、上部タレット及び下部タレットを回転させることにより所定のパンチ金型及び所定のダイ金型を加工領域に割出しできるように構成し、前記ストライカは加工領域に割出した所定の上部パンチ金型を上方向から押圧するように構成し、下部タレットの下側にタレット支持部材を水平方向へ移動可能に設け、このタレット支持部材は、曲げ用ダイ金型を加工領域に割出したときに下部タレットにおける加工領域に位置している部分を支持する第１支持部と、打抜き用ダイ金型を加工領域に割出したときに下部タレットにおける加工領域に位置している部分を支持する第２支持部とを備え、上記タレット支持部材の水平方向の移動により第１支持部又は第２支持部を下部タレットにおける加工領域に位置している部分の下側に位置決めできるように構成し、上記第１支持部に前記押上げ装置を設けると共に、上記第２支持部に打抜き加工によって生じる抜きカスを収容する収容室を設けてなることを特徴とする。
【００１４】
請求項３に記載の発明特定事項によると、請求項２に記載の発明特定事項による作用の他に、板材に対して曲げ加工を行う場合には、上部タレット及び下部タレットを回転させて所定の曲げ用パンチ金型及び所定の曲げ用ダイ金型を加工領域に割出す。又、タレット支持部材を水平方向へ移動させて、第１支持部を下部タレットにおける加工領域に位置している部分の下側に位置せしめる。そして、曲げチップにより板材における曲げ片部分を折り曲げる。
【００１５】
板材に対して打抜き加工を行う場合には、上部タレット及び下部タレットを回転させて、所定の打抜き用パンチ金型及び所定の打抜き用ダイ金型を加工領域に割出す。又、タレット支持部材を水平方向へ移動させて、第２支持部を下部タレットにおける加工領域に位置している部分の下側に位置せしめる。そして、ストライカにより所定の打抜き用パンチ金型を上方向から押圧することにより、所定の打抜き用パンチ金型を真下方向へ移動させて、所定の打抜き用パンチ金型と所定の打抜き用ダイ金型の協働により板材に対して打抜き加工を行う。ここで、打抜き加工によって生じた打抜きカスは収容室に収容される。
【００１６】
【発明の実施の形態】
以下、本発明の実施の形態について図面を参照して説明する。
【００１７】
図２及び図４を参照するに、本発明の実施の形態に係るタレットパンチプレス１はブリッジ型の本体フレーム３をベースにしており、この本体フレーム３は上部フレーム５と下部フレーム７を上下（図２及び図４において上下）に対向して備えている。上部フレーム５には回転可能な上部タレット９が設けてあり、下部フレーム７には回転可能な下部タレット１１が上部タレット９に上下に対向して設けてある。タレット９，１１には板材Ｗに対して曲げ加工を行う複数の曲げ用金型セット１３及び板材Ｗに対して打抜き加工を行う複数の打抜き用金型セット１５がそれぞれ設けてある。
【００１８】
上記曲げ用金型セット１３は、上部タレット９に真上方向，真下方向へ移動可能に保持された曲げ用パンチ金型１７と、下部タレット１１に保持されかつ対応する曲げ用パンチ金型１７に上下に対向した曲げ用ダイ金型１９とを備えている。又、各打抜き用金型セット１５は、上部タレット９に真上方向，真下方向へ移動可能に保持された打抜き用パンチ金型２１と、下部タレット１１に保持されかつ対応する打抜き用パンチ金型２１に上下に対向した打抜き用ダイ金型２３を備えている。ここで、上部タレット９及び下部タレット１１を回転させることにより、所定のパンチ金型１７（２１）及び所定のダイ金型１９（２３）を加工領域（後述のストライカの垂直下方の領域）Ａに割出しできるように構成してある。
【００１９】
尚、各パンチ金型１７，２１の頭部と上部タレット９の上面の間には各パンチ金型１７，２１を支持するスプリング２５がそれぞれ設けてある。
【００２０】
上記曲げ用金型セット１３について詳細に説明すると、以下のようになる。
【００２１】
即ち、図１を参照するに、曲げ用パンチ金型１７の下部（図１において下部）にはパンチ挟持部２７が備えてあり、曲げ用ダイ金型１９の上部におけるダイ孔２９の一側にはパンチ挟持部２７と協働して板材Ｗを挟持するダイ挟持部３１が備えてある。曲げ用ダイ金型１９のダイ孔２９には板材Ｗにおける曲げ片部分（曲げ加工によって曲げ片になる部分）Ｗａを曲げる曲げチップ３３が真上方向，真下方向へ移動可能に設けてある。ここで、曲げチップ３３を曲げ用ダイ金型１９の上面（表面）に対して突出させて曲げ用パンチ金型１７に接近させると、真上方向から、この真上方向に対して交差する方向であってパンチ挟持部２７側へ傾いた傾斜方向へ、曲げチップ３３の移動方向が変化するように（図１（ｃ）の矢印参照）、ダイ孔２９の内側面には曲げチップ３３の移動方向に対応した形状のガイド溝３５が形成してあると共に、曲げチップ３３の側面にはガイド溝３５に係合しかつガイド溝３５に沿って移動可能な可動子３７が設けてある。尚、ダイ孔２９の内側面にガイド溝３５を形成しかつ曲げチップ３３に可動子３７を設ける代わりに、曲げチップ３３の側面に曲げチップ３３の移動方向に対応した形状のガイド溝を形成すると共に、ダイ孔２９の内側面にこのガイド溝に係合しかつガイド溝に沿って相対的に移動可能な可動子を設けても差支えない。
【００２２】
曲げ用ダイ金型１９のダイ孔２９には曲げチップ３３を支持するチップ受け３９が真上方向，真下方向へ移動可能に設けてある。ここで、曲げチップ３３が上記傾斜方向へ移動して板材Ｗにおける曲げ片部分Ｗａを曲げる時に、曲げチップ３３に作用する反力を十分に受けることができるように、チップ受け３９の支持面３９ａはこの傾斜方向に対応して傾斜して構成してある。
【００２３】
曲げ用ダイ金型１９のダイ孔２９の下側にはばねストッパ４１が設けてあり、このばねストッパ４１には真上方向，真下方向へ移動可能かつ離脱不能な作動ロッド４３が設けてある。この作動ロッド４３の下端部にはばね座４５が設けてあり、ばねストッパ４１とばね座４５の間には作動ロッド４３を下方向へ付勢可能なばね４７が設けてある。尚、ばね座４５の下側にはウレタン等からなる緩衝部材４９が設けてある。
【００２４】
図２〜図４を参照するに、上記下部フレーム７における下部タレット１１の下側（２及び図４において下側、図３において紙面に向って裏側）にはタレット支持部材５１がガイド部材５３を介して左右方向へ移動可能に設けてあり、このタレット支持部材５１は、下部フレーム７に設けて作動シリンダ５５の作動によって左右方向へ移動するものである。上記タレット支持部材５１は、曲げ用ダイ金型１９を加工領域Ａに割出したときに下部タレット１１における加工領域Ａに位置している部分を支持する第１支持部５７と、打抜き用ダイ金型２３を加工領域Ａに割出したときに下部タレット１１における加工領域Ａに位置している部分を支持する第２支持部とを備えている。ここで、タレット支持部材５１の左右方向の移動により第１支持部５７又は第２支持部５９を下部タレット１１における加工領域Ａに位置している部分の下側に位置決めができるように構成してある。上記第１支持部には作動ロッド４３及びチップ受け３９を介して曲げチップ３３を押上げる押上げシリンダ６１が内蔵してあって、この押上げシリンダ６１は押上げ部６１ａを備えており、第２支持部５９には打抜き加工によって生じる打抜きカスを収容する収容室６３が設けてある。
【００２５】
上部タレット９の上方には所定のパンチ金型１７（２１）を上方向から押圧するストライカ６５が設けてあり、このストライカ６５は、上部フレーム５に設けた油圧シリンダ６７の作動により昇降するものである。下部フレーム７における下部タレット１１の前方側（図２及び図４において右方側、図３において下方側）には板材Ｗを支持するワークテーブル６９が設けてあり、このワークテーブル６９は、下部フレーム７に固定した固定テーブルと、下部フレーム７における固定テーブルの左右（図２及び図４において紙面に向って表裏、図３において左右）両側に前後方向へ移動可能に設けられた一対の可動テーブルとを備えている。
【００２６】
上記ワークテーブル６９には板材Ｗの端部をクランプするワーククランパ７１を備えたキャレッジ７３が設けてあり、このキャレッジ７３は下部タレット１１に対して左右方向及び前後方向へ移動可能である。
【００２７】
次に、本発明の実施の形態の作用について説明する。
【００２８】
板材Ｗに対して曲げ加工を行う場合には、ワーククランパ７１により板材Ｗの端部をクランプした状態の下で、キャレッジ７３を下部タレット１１に対して前後方向，左右方向へ移動させて、板材Ｗを上部タレット９と下部タレット１１の間の所定位置に位置決めする。又、上部タレット９及び下部タレット１１を回転させて、所定の曲げ用パンチ金型１７及び所定の曲げ用ダイ金型１９を加工領域Ａに割出す。更に、作動シリンダ５５によってタレット支持部材５１を左右方向へ移動させて、第１支持部５７を下部タレット１１における加工領域Ａに位置している部分の下側に位置決めする。
【００２９】
そして、ストライカ６５により所定の曲げ用パンチ金型１７を上方向から押圧することにより、所定の曲げ用パンチ金型１７を真下方向へ移動させて、パンチ挟持部２７とダイ挟持部３１の協働により板材Ｗを挟持する。更に、押上げシリンダ６１によって作動ロッド４３及びチップ受け３９を介して曲げチップ３３を真上方向へ押上げて、曲げ用ダイ金型１９の上面に対して上方向へ突出させて曲げ用パンチ金型１７に接近せしめる。これによって、曲げチップ３３により板材Ｗにおける曲げ片部分Ｗａを曲げることができる。ここで、可動子３７がガイド溝３５に沿って移動することにより、曲げチップ３３の移動方向が真上方向から傾斜方向へ変化し、板材Ｗにおける曲げ片部分Ｗａを元の状態から９０度を越えて曲げることができるものである。又、曲げチップ３３が傾斜方向へ移動して板材Ｗにおける曲げ片部分Ｗａを曲げるときに、曲げチップ３３に大きな反力が作用しても、チップ受け３９によりこの反力を十分に受けることができ、曲げチップ３３がこの反力の作用する側へ傾いたりすることはない。
【００３０】
板材Ｗに対して打抜き加工を行う場合には、板材Ｗを上部タレット９と下部タレット１１の間の所定位置に位置決めすると共に、上部タレット９及び下部タレット１１を回転させて所定の打抜き用パンチ金型２１及び所定の打抜き用ダイ金型２３を加工領域Ａに割出す。又、作動シリンダ５５によってタレット支持部材４５を左右方向へ移動させて、第２支持部５９を下部タレット１１における加工領域Ａに位置している部分の下側に位置せしめる。そして、ストライカ６５により所定の打抜き用パンチ金型２１を上方向から押圧することにより、所定の打抜き用パンチ金型２１を下降させて、所定の打抜き用パンチ金型２１と所定の打抜き用ダイ金型２３の協働により板材Ｗに対して打抜き加工を行う。ここで、打抜き加工によって生じた打抜きカスは、収容室６３に収容される。
【００３１】
以上のごとき、本発明の実施の形態によれば、板材Ｗにおける曲げ片部分Ｗａを元の状態から９０度を越えて曲げることができるため、曲げ片Ｗａのスプリングバックによる戻り角を考慮して板材Ｗにおける被挟持部分（パンチ挟持部２７とダイ挟持部３１によって挟持される部分）Ｗｂと曲げ片Ｗａのなす角を正確に９０度にすることができ、さらに曲げ片Ｗａを元の状態から９０度を越えて大きく曲げて、板材Ｗにおける被挟持部分Ｗｂと曲げ片Ｗａのなす角を９０度よりも小さい種々の角度に設定することができる。
【００３２】
曲げチップ３３により板材Ｗにおける曲げ片部分Ｗａを曲げるときに曲げチップ３３に大きな反力が作用しても、曲げチップ３３がこの反力の作用する側に傾いたりすることがないため、板材Ｗにおける曲げ片部分Ｗａの曲げ加工の精度が向上する。
【００３３】
さらに、板材Ｗに対して曲げ加工の他に打抜き加工を行うことができ、この打抜き加工によって生じる打抜きカスが収容室６３に収容されるため、打抜きカスの飛散を抑制して、作業環境の向上を図ることができる。
【００３４】
【発明の効果】
請求項１に記載の発明によれば、板材における曲げ片部分を元の状態から９０度を越えて曲げることができるため、曲げ片のスプリングバックによる戻り角を考慮して、板材における被挟持部分（パンチ挟持部とダイ挟持部により挟持される部分）と曲げ片のなす角を正確に９０度にすることができる。更に、板材における曲げ片部分を元の状態から９０度を越えて大きく曲げることができるため、板材における被挟持部と曲げ片のなす角を９０度よりも小さい種々の角度に設定することができる。
【００３５】
曲げチップを板材における曲げ片部分を曲げるときに、曲げチップに大きな反力が作用しても、曲げチップがこの反力の作用する側に傾いたりすることがないため、板材における曲げ片部分の加工の精度が向上する。
【００３６】
請求項２に記載の発明によれば、請求項１に記載の発明の効果と同様の効果を奏する。
【００３７】
請求項３に記載の発明によれば、請求項２に記載の発明の効果の他に、板材に対して曲げ加工の他に打抜き加工を行うことができ、この打抜き加工によって生じる打抜きカスが収容室に収容されるため、打抜き加工の飛散を抑制して、作業環境向上の効果を奏する。
【図面の簡単な説明】
【図１】  曲げ用金型セットの要部及び動作を示す図である。
【図２】  タレットパンチプレスの加工部周辺を示す図である。
【図３】  タレット支持部材の平面図である。
【図４】  タレットパンチプレスの側面図である。
【図５】  従来技術の課題を示す図である。
【符号の説明】
１  タレットパンチプレス
９  上部タレット
１１  下部タレット
１３  曲げ用金型セット
１５  打抜き用金型セット
１７  曲げ用パンチ金型
１９  曲げ用ダイ金型
２７  パンチ挟持部
２９  ダイ孔
３１  ダイ挟持部
３３  曲げチップ
３５  ガイド溝
３７  可動子
３９  チップ受け
５１  タレット支持部材
５７  第１支持部
５９  第２支持部
６１  押上げシリンダ
６３  収容室
６５  ストライカ
【図１】
0003916327.tif 000002
【図２】
0003916327.tif 000003
【図３】
0003916327.tif 000004
【図４】
0003916327.tif 000005
【図５】
0003916327.tif 000006